(57)【要約】【課題】カード保持部材をカード用コネクタから排出する排出操作が行われるときには、排出機構を作動させる補助部材によってロック用部材とカード保持部材との係合が解除させられるようにして、カード用コネクタに確実に保持されるとともに、容易に排出することができ、信頼性が高くなるようにする。【解決手段】カード保持部材は、カードの側面と対向する枠部と、枠部に形成されたロック部とを含み、ロック部材は、カード用コネクタとの相対的位置関係が変化しないように固定された基端部と、基端部に接続された可動部とを含み、カード用コネクタから独立した別個の部材であり、可動部は、ロック部と係合及び係合解除可能な可動ロック部を含み、可動ロック部は、カード保持部材をカード用コネクタから排出させる排出機構を作動させる補助部材によって、ロック部との係合が解除させられる。【選択図】図１
2016042420.tif 000002
【特許請求の範囲】
【請求項１】
（ａ）端子部材を備えるカードを保持可能なカード保持部材を挿入可能なカード用コネクタと、該カード用コネクタに挿入された前記カード保持部材をロックするロック部材とを備えるカード用コネクタセットであって、
（ｂ）前記カード保持部材は、前記カードの側面と対向する枠部と、該枠部に形成されたロック部とを含み、
（ｃ）前記ロック部材は、前記カード用コネクタとの相対的位置関係が変化しないように固定された基端部と、該基端部に接続された可動部とを含み、前記カード用コネクタから独立した別個の部材であり、前記可動部は、前記ロック部と係合及び係合解除可能な可動ロック部を含み、
（ｄ）該可動ロック部は、前記カード保持部材をカード用コネクタから排出させる排出機構を作動させる補助部材によって、前記ロック部との係合が解除させられることを特徴とするカード用コネクタセット。
【請求項２】
前記補助部材は、前記可動ロック部を作動させて前記ロック部との係合を解除させた後に、前記排出機構を作動させる請求項１に記載のカード用コネクタセット。
【請求項３】
前記排出機構は、前記カード保持部材の挿入及び排出方向にスライド可能な操作部材を含み、
前記補助部材は、前記挿入及び排出方向にスライド可能な棒状の部材であって、前記操作部材を前記挿入方向に移動させることによって前記排出機構を作動させ、
前記可動ロック部は、前記補助部材の進路上に位置する操作伝達部に前記補助部材が当接することによって、前記ロック部との係合が解除させられる請求項２に記載のカード用コネクタセット。
【請求項４】
前記枠部の後方には後板部が接続され、
前記補助部材は、前記後板部に形成された挿通孔に挿通されて前記挿入方向に移動させられる請求項１〜３のいずれか１項に記載のカード用コネクタセット。
【請求項５】
前記ロック部材は、前記カード用コネクタの後方に該カード用コネクタから離れて位置し、
前記可動部は、前記基端部を中心として、前記カード保持部材の挿入及び排出方向に垂直な平面に沿って揺動可能な板ばねであり、
前記ロック部は、前記枠部の上面に形成された幅方向に延在する凸条部であり、
前記可動ロック部は、下方を向いて膨出し、前記ロック部と係合可能な凸部を含む請求項３に記載のカード用コネクタセット。
【請求項６】
前記操作伝達部は、前記可動部の自由端に位置し、前記可動ロック部は、前記可動部の自由端と基端部との間に位置する請求項５に記載のカード用コネクタセット。
【発明の詳細な説明】
【技術分野】
【０００１】
本発明は、カード用コネクタセットに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  Ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種カードを利用するために、カード用コネクタを備えている。
【０００３】
近年、電子機器の急速な小型化に伴って、カード及びカード用コネクタは、急速に小型化される傾向にある。そのため、ユーザが手指によってカードを把持したり、カード用コネクタに適切に挿入したりすることが困難である。そこで、カードをあらかじめカード用トレイに収納しておき、該カード用トレイを挿入するカード用コネクタが提案されている（例えば、特許文献１参照。）。
【０００４】
図１７は従来のカード用コネクタを示す図である。
【０００５】
図において、８１１は、絶縁性の樹脂材料から成るカード用コネクタのハウジングであり、８６１は金属板から成るシェルであり、前記ハウジング８１１の上方を覆うようにして、ハウジング８１１に取付けられる。また、９６１は、カード用トレイであり、カード９０１が内部に装填（てん）されている。そして、前記カード用トレイ９６１は、カード９０１が内部に装填された状態で、前記ハウジング８１１とシェル８６１との間に形成された空間に、挿入口８１８から奥に挿入されて収容される。なお、前記カード９０１は、下面に図示されない電極パッドを備え、該電極パッドはカード用トレイ９６１の下面に露出している。
【０００６】
また、前記シェル８６１には、片持ち梁（はり）状のロック部８７５が形成されていて、カード用トレイ９６１がカード用コネクタの空間に収容された状態で、前記カード用トレイ９６１に形成された切欠部９６８と係合する。これにより、前記カード用トレイ９６１がカード用コネクタの空間から離脱することが防止される。
【０００７】
さらに、前記ハウジング８１１は、図示されないプッシュロッドとイジェクトレバーとを備える。そして、前記カード用トレイ９６１をカード用コネクタの空間から取出す際には、ユーザは、ピン、ロッド等の補助部材をカード用トレイ９６１のフランジ部９６３に形成された貫通孔（こう）９６３ａに挿入し、前記補助部材の先端でプッシュロッドを奥に向けてスライドさせる。すると、イジェクトレバーが作動して、前記カード用トレイ９６１を奥から手前に向けて変位させる。これによって、シェル８６１のロック部８７５とカード用トレイ９６１の切欠部９６８との係合が解除され、カード用トレイ９６１が挿入口８１８から手前に排出される。
【先行技術文献】
【特許文献】
【０００８】
【特許文献１】実用新案登録第３１８６８０１号公報
【発明の概要】
【発明が解決しようとする課題】
【０００９】
しかしながら、前記従来のカード用コネクタにおいては、カード用トレイ９６１を排出させる際にロック部８７５のばね力に抗してロック部８７５と切欠部９６８との係合を解除させるために、カード用トレイ９６１を手前に向けて変位させるイジェクトレバーを作動させるプッシュロッドにある程度の力を付与してスライドさせる必要がある。そのために、ユーザは、微細な補助部材を使用しているにも関わらず、プッシュロッドをスライドさせるために比較的大きな力を発揮しなくてはならず、カード用トレイ９６１を排出させる操作を困難に感じてしまう。
【００１０】
なお、カード用トレイ９６１を挿入させる際にもロック部８７５のばね力に抗してロック部８７５と切欠部９６８とを係合させるために、ある程度の力を付与してカード用トレイ９６１を奥に向けて変位させる必要がある。しかし、カード用トレイ９６１を挿入させる際には、ユーザは、補助部材よりも大きな部材であるフランジ部９６３の手前側の面を手指等で押込むだけで済むので、比較的大きな力を発揮しなくてはならくても、カード用トレイ９６１を挿入させる操作に困難を感じることはない。
【００１１】
本発明は、前記従来の問題点を解決して、カード保持部材をカード用コネクタから排出する排出操作が行われるときには、排出機構を作動させる補助部材によってロック用部材とカード保持部材との係合が解除させられるようにして、カード用コネクタに確実に保持されるとともに、容易に排出することができる信頼性の高いカード用コネクタセットを提供することを目的とする。
【課題を解決するための手段】
【００１２】
そのために、本発明のカード用コネクタセットにおいては、端子部材を備えるカードを保持可能なカード保持部材を挿入可能なカード用コネクタと、該カード用コネクタに挿入された前記カード保持部材をロックするロック部材とを備えるカード用コネクタセットであって、前記カード保持部材は、前記カードの側面と対向する枠部と、該枠部に形成されたロック部とを含み、前記ロック部材は、前記カード用コネクタとの相対的位置関係が変化しないように固定された基端部と、該基端部に接続された可動部とを含み、前記カード用コネクタから独立した別個の部材であり、前記可動部は、前記ロック部と係合及び係合解除可能な可動ロック部を含み、該可動ロック部は、前記カード保持部材をカード用コネクタから排出させる排出機構を作動させる補助部材によって、前記ロック部との係合が解除させられる。
【００１３】
本発明の他のカード用コネクタセットにおいては、さらに、前記補助部材は、前記可動ロック部を作動させて前記ロック部との係合を解除させた後に、前記排出機構を作動させる。
【００１４】
本発明の更に他のカード用コネクタセットにおいては、さらに、前記排出機構は、前記カード保持部材の挿入及び排出方向にスライド可能な操作部材を含み、前記補助部材は、前記挿入及び排出方向にスライド可能な棒状の部材であって、前記操作部材を前記挿入方向に移動させることによって前記排出機構を作動させ、前記可動ロック部は、前記補助部材の進路上に位置する操作伝達部に前記補助部材が当接することによって、前記ロック部との係合が解除させられる。
【００１５】
本発明の更に他のカード用コネクタセットにおいては、さらに、前記枠部の後方には後板部が接続され、前記補助部材は、前記後板部に形成された挿通孔に挿通されて前記挿入方向に移動させられる。
【００１６】
本発明の更に他のカード用コネクタセットにおいては、さらに、前記ロック部材は、前記カード用コネクタの後方に該カード用コネクタから離れて位置し、前記可動部は、前記基端部を中心として、前記カード保持部材の挿入及び排出方向に垂直な平面に沿って揺動可能な板ばねであり、前記ロック部は、前記枠部の上面に形成された幅方向に延在する凸条部であり、前記可動ロック部は、下方を向いて膨出し、前記ロック部と係合可能な凸部を含む。
【００１７】
本発明の更に他のカード用コネクタセットにおいては、さらに、前記操作伝達部は、前記可動部の自由端に位置し、前記可動ロック部は、前記可動部の自由端と基端部との間に位置する。
【発明の効果】
【００１８】
本発明によれば、カード保持部材は、カード用コネクタから排出する排出操作が行われるときには、排出機構を作動させる排出機構操作補助部材によってロック部との係合が解除させられる。これにより、カード用コネクタに確実に保持されるとともに、容易に排出することができ、高い信頼性を得ることができる。
【図面の簡単な説明】
【００１９】
【図１】本発明の第１の実施の形態におけるカード用コネクタにカード用トレイを挿入する直前の状態のカード保持部材取扱セットを示す第１の斜視図である。
【図２】本発明の第１の実施の形態におけるカード用コネクタにカード用トレイを挿入する直前の状態のカード保持部材取扱セットを示す第２の斜視図である。
【図３】本発明の第１の実施の形態におけるロック用ばね部の三面図であって、（ａ）は正面図、（ｂ）は右側面図、（ｃ）は左側面図である。
【図４】本発明の第１の実施の形態におけるカード用コネクタの斜視図であって、（ａ）はシェルを取付けた状態を示す図、（ｂ）はシェルを取外した状態を示す図である。
【図５】本発明の第１の実施の形態におけるカード用トレイの斜視図であって、（ａ）はカードを保持していない状態を示す図、（ｂ）はカードを保持している状態を示す図である。
【図６】本発明の第１の実施の形態におけるカード用トレイの先端がロック用ばね部に当接した状態を示す図であって、（ａ）は斜め前から観た図、（ｂ）は側面図である。
【図７】本発明の第１の実施の形態におけるカード用コネクタにカード用トレイを挿入する際のロック用ばね部の動作を説明する図であって、（ａ）は斜め前から観た図、（ｂ）は側面図である。
【図８】本発明の第１の実施の形態におけるカード用コネクタにカード用トレイの前半部分が挿入された状態を示す斜視図である。
【図９】本発明の第１の実施の形態におけるカード用コネクタにカード用トレイの挿入が完了する直前の状態を示す斜視図である。
【図１０】本発明の第１の実施の形態におけるカード用コネクタにカード用トレイの挿入が完了した状態を示す斜視図である。
【図１１】本発明の第１の実施の形態におけるカード用コネクタからカード用トレイを排出する直前の状態を示す斜視図である。
【図１２】本発明の第１の実施の形態におけるカード用コネクタからカード用トレイを排出する動作を示す第１の斜視図である。
【図１３】本発明の第１の実施の形態におけるカード用コネクタからカード用トレイを排出する際のロック用ばね部の動作を説明する図であって、（ａ）は斜め前から観た図、（ｂ）は側面図である。
【図１４】本発明の第１の実施の形態におけるカード用コネクタからカード用トレイを排出する動作を示す第２の斜視図である。
【図１５】本発明の第２の実施の形態におけるカード用コネクタにカード用トレイを挿入する直前の状態のカード保持部材取扱セットを示す第１の斜視図である。
【図１６】本発明の第２の実施の形態におけるカード用コネクタにカード用トレイを挿入する直前の状態のカード保持部材取扱セットを示す第２の斜視図である。
【図１７】従来のカード用コネクタを示す図である。
【発明を実施するための形態】
【００２０】
以下、本発明の実施の形態について図面を参照しながら詳細に説明する。
【００２１】
図１は本発明の第１の実施の形態におけるカード用コネクタにカード用トレイを挿入する直前の状態のカード保持部材取扱セットを示す第１の斜視図、図２は本発明の第１の実施の形態におけるカード用コネクタにカード用トレイを挿入する直前の状態のカード保持部材取扱セットを示す第２の斜視図、図３は本発明の第１の実施の形態におけるロック用ばね部の三面図、図４は本発明の第１の実施の形態におけるカード用コネクタの斜視図、図５は本発明の第１の実施の形態におけるカード用トレイの斜視図である。なお、図３において、（ａ）は正面図、（ｂ）は右側面図、（ｃ）は左側面図であり、図４において、（ａ）はシェルを取付けた状態を示す図、（ｂ）はシェルを取外した状態を示す図であり、図５において、（ａ）はカードを保持していない状態を示す図、（ｂ）はカードを保持している状態を示す図である。
【００２２】
図において、１６０は本実施の形態におけるカード保持部材としてのカード用トレイであり、図５（ｂ）に示されるように、カード１０１を収容して保持した状態で、図示されない電子機器に取付けられたカード用コネクタ１に挿入される。つまり、カード１０１は、その側面１１２と対向する枠部１６１によって前記側面１１２を囲繞（にょう）された状態でカード用トレイ１６０に収容され、カード用コネクタ１を介して、電子機器に装着される。なお、該電子機器は、例えば、パーソナルコンピュータ、スマートフォン、携帯電話機、通信モデム、タブレットコンピュータ、デジタルカメラ、ビデオカメラ、音楽プレーヤ、ゲーム機、車両用ナビゲーション装置等であるが、いかなる種類の機器であってもよい。
【００２３】
ところで、例えば、電子機器にカード用コネクタ１以外のカード用コネクタが実装されているような場合には、ユーザがカード用コネクタ１を使用しないこともあり得る。そして、このような場合に、ユーザは、カード１０１を収容していないカード用トレイ１６０、すなわち、空のカード用トレイ１６０をカード用コネクタ１に挿入した状態で保管することができる。
【００２４】
また、９１は、カード用コネクタ１に挿入されて収容された被ロック部材としてのカード用トレイ１６０をロックして、該カード用トレイ１６０がカード用コネクタ１から離脱してしまうことを防止するためのロック部材としてのロック用ばね部である。該ロック用ばね部９１は、カード用コネクタ１から独立した別個の部材であるが、図示されない位置固定部材を介して、前記カード用コネクタ１との相対的位置関係が変化しないように固定されている。前記位置固定部材は、例えば、カード用トレイ１６０が実装されている配線基板、カード用コネクタ１が取付けられた電子機器の筐（きょう）体等であり、前記ロック用ばね部９１は、このような位置固定部材に直接又は間接に取付けられることによって、カード用コネクタ１との相対的位置関係が変化しないように固定されている。本実施の形態におけるカード用コネクタセットは、前記カード用コネクタ１とロック用ばね部９１とを備える。
【００２５】
図１〜３に示される９８は、前記位置固定部材の一部であり、ここでは、カード用コネクタ１が取付けられた電子機器の筐体の一部であるカード用トレイ１６０の挿入開口枠部材であるものとして説明する。この場合、前記ロック用ばね部９１は、カード用トレイ１６０を挿入するための挿入開口９８ａが形成された平板状の挿入開口枠部材９８の内側面に取付けられることによって、カード用コネクタ１との相対的位置関係が変化しないように固定されている。なお、前記挿入開口枠部材９８には、カード用コネクタ１のプッシュロッド２２の操作部２２ａを後述される補助部材１８１を介して押圧操作する際に、該補助部材１８１を挿通させる孔（あな）である挿通孔９８ｂも形成されている。なお、前記補助部材１８１は、カード用トレイ１６０をカード用コネクタ１から排出させる排出機構を作動させる補助部材として機能する。前記挿入開口９８ａ及び挿通孔９８ｂは、前記挿入開口枠部材９８を板厚方向に貫通する貫通孔である。
【００２６】
前記カード１０１は、例えば、ＳＩＭカード、マイクロＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。なお、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２７】
本実施の形態において、前記カード１０１は、図５（ｂ）に示されるように、全体的に略矩（く）形の板状の形状を有し、その下面に、端子部材である図示されない電極パッドが、複数、前端１１１ｆ及び後端１１１ｒに沿って並ぶように、例えば、３つずつ、２列に並ぶように配設されている。すなわち、電極パッドは、カード１０１の幅方向に延在する２本の列を成すように配列されている。なお、下面の反対側の面、すなわち、上面１１１ｂには、電極パッドが配設されていない。さらに、後端１１１ｒの左右両端と側端１１１ｓとを結合する角部の一方には、斜めに切欠かれた傾斜部としての切欠部１１１ｃが形成されている。
【００２８】
なお、本実施の形態において、カード用コネクタ１、カード用トレイ１６０、ロック用ばね部９１及びカード１０１の各部の構成及び動作を説明するために使用される上、下、左、右、前、後等の方向を示す表現は、絶対的なものでなく相対的なものであり、カード用コネクタ１、カード用トレイ１６０、ロック用ばね部９１、カード１０１又はそれらの部品が図に示される姿勢である場合に適切であるが、カード用コネクタ１、カード用トレイ１６０、ロック用ばね部９１、カード１０１又はそれらの部品の姿勢が変化した場合には、姿勢の変化に応じて変更して解釈されるべきものである。
【００２９】
ここで、前記カード用トレイ１６０の枠部１６１は、導電性の金属又は絶縁性の樹脂から成る一体的に形成された部材であって、カード１０１を収容するカード収容空間としての空間部１６６の四辺を囲繞する略矩形の枠部材であって、幅方向に延在する互いに平行な後枠部１６２及び前枠部１６５と、前後方向に延在し、後枠部１６２の両端と前枠部１６５の両端とを連結する第１側枠部１６４−１及び第２側枠部１６４−２とを含んでいる。前記空間部１６６の下面は、カード１０１の電極パッドが露出可能な略矩形の開口である。なお、前記第１側枠部１６４−１及び第２側枠部１６４−２を統合的に説明する場合には、側枠部１６４として説明する。
【００３０】
また、前記後枠部１６２における第２側枠部１６４−２と連結される角部、具体的には、後方右角部には、傾斜部１６２ｃが形成されている。該傾斜部１６２ｃは、カード姿勢規制部として機能し、図１に示されるように、カード１０１が正規の姿勢である場合には、カード用トレイ１６０内へのカード１０１の収容を許容するが、カード１０１が非正規の姿勢である場合には、カード用トレイ１６０内へのカード１０１の収容を許容しない、すなわち、空間部１６６内へカード１０１を収容することができないようにする。
【００３１】
前記後枠部１６２には、幅方向に延在するロック部としての係合凸条部１６８が形成されている。該係合凸条部１６８は、その前方に位置する前方傾斜部１６８ａと、その後方に位置する後方縁部１６８ｂと、該後方縁部１６８ｂの幅方向一端に形成された後方凹縁部１６８ｃとを含み、カード用トレイ１６０のカード用コネクタ１内への挿入が完了した状態においては、前記後方縁部１６８ｂ及び後方凹縁部１６８ｃがロック用ばね部９１と係合してロックされる。前記後方凹縁部１６８ｃは、第１側枠部１６４−１の後方に対応する位置に形成されている。
【００３２】
さらに、前記後枠部１６２の後方には、後板部１６３が接続されている。該後板部１６３は、カード用トレイ１６０の厚さ方向の寸法が、後枠部１６２、前枠部１６５及び側枠部１６４よりも大きく形成されている。さらに、前記後板部１６３の両端は、後枠部１６２及び前枠部１６５よりも、カード用トレイ１６０の幅方向外側に突出する。これにより、前記後板部１６３は、カード用トレイ１６０が前後逆さまの姿勢でカード用コネクタ１に挿入されること、すなわち、誤挿入を防止する機能を発揮するとともに、カード用コネクタ１のユーザがカード用トレイ１６０を手指等によって操作する際に、把持や操作を容易にする機能を発揮する。また、前記後板部１６３の両端の一方には、前記後板部１６３を板厚方向に貫通する挿通孔１６３ａが形成されている。該挿通孔１６３ａは、前記補助部材１８１を挿通させる孔である。なお、前記補助部材１８１は、カード用トレイ１６０をカード用コネクタ１から排出させる排出機構を作動させる補助部材として機能する。
【００３３】
前記側枠部１６４及び前枠部１６５は、上面が互いに面一であり、カード用トレイ１６０の厚さ方向の寸法が等しくなるように形成されている。そして、図５（ａ）に示されるように、前記後枠部１６２及び左右の側枠部１６４の内側下端からは、庇（ひさし）部１６７が空間部１６６の内側に向けて延出する。前記庇部１６７は、空間部１６６内に収容されたカード１０１の下面の少なくとも一部、例えば、側端近傍等を支持するカード支持部として機能する。
【００３４】
本実施の形態において、カード用コネクタ１は、図４に示されるように、樹脂等の絶縁性材料によって一体的に成形されたハウジング１１と、導電性の金属から成る板材に打抜き、折曲げ等の加工を施すことによって一体的に成形され、ハウジング１１の上側に取付けられたカバー部材としてのシェル６１とを有する。該シェル６１は、ハウジング１１及びカード用コネクタ１に挿入されたカード用トレイ１６０の少なくとも一部の上方を覆うようになっている。そして、前記カード用コネクタ１は、概略、扁（へん）平な直方体形状を備え、前記電子機器に取付けられ、後方（図４（ａ）における右下方）の挿入口１８から、ハウジング１１にカード用トレイ１６０が挿入される。具体的には、ハウジング１１とシェル６１との間に形成されるカード挿入空間内にカード用トレイ１６０が、その前端１６１ｆから挿入される。
【００３５】
図４（ｂ）に示されるように、ハウジング１１は、略矩形の平板状部材である底壁部１１ｂ、及び、ハウジング１１におけるカード用トレイ１６０の挿入方向前方の端部、すなわち、前端部１１ｆに沿って延在し、底壁部１１ｂから立設する奥壁部１１ａを有する。なお、ハウジング１１におけるカード用トレイ１６０の挿入方向後方の端部は、後端部１１ｒと称する。
【００３６】
ここで、底壁部１１ｂは、接続端子としての端子５１を保持する端子保持凹部１１ｃを備える。該端子保持凹部１１ｃは、底壁部１１ｂを板厚方向に貫通する開口であり、ハウジング１１の幅方向に延在する列を成すように、並んで配設されている。図に示される例では、３つずつ、２列に並ぶように配設されている。すなわち、端子保持凹部１１ｃ、及び、各端子保持凹部１１ｃ内に１つずつ保持される端子５１は、ハウジング１１の幅方向に延在する２本の列を成すように配列されている。前記端子５１は、その基部５１ａの少なくとも一部が底壁部１１ｂに埋込まれ、また、その他の部分が端子保持凹部１１ｃ内に露出している。
【００３７】
そして、端子５１は、基部５１ａに基端が連結されたカンチレバー状の接触腕部５１ｂと、該接触腕部５１ｂの自由端、すなわち、先端に接続された接触部５１ｃとを備える。そして、少なくとも該接触部５１ｃの上面は、カード挿入空間内にカード用トレイ１６０に収容されたカード１０１が挿入されていない状態では、底壁部１１ｂの上面より上方に位置している。なお、前記端子５１において、接触腕部５１ｂと接触部５１ｃとから成る部分は、前端部１１ｆに近付くにつれて上昇するような、すなわち、後方に向けて斜め上方に延在するような側面形状を備える。また、接触腕部５１ｂ及び接触部５１ｃは、平面視において、端子保持凹部１１ｃ内に位置する。前記端子５１は、接触部５１ｃが、カード用コネクタ１内に保持されたカード用トレイ１６０内のカード１０１の電極パッドの各々に接触するように、配設されている。したがって、端子５１の数及び配置の形態は、カード１０１の電極パッドの数及び配置の形態に適合するように、適宜変更される。
【００３８】
また、底壁部１１ｂには、該底壁部１１ｂを板厚方向に貫通するソルダーテール用開口１１ｄが形成されている。そして、該ソルダーテール用開口１１ｄには、各端子５１の基板接続部としてのソルダーテール部５１ｄが露出している。該ソルダーテール部５１ｄの各々は、底壁部１１ｂに埋込まれた図示されない連結部を介して、各端子５１の基部５１ａに連結されている。そして、ソルダーテール部５１ｄは、前記電子機器における配線基板等に形成された信号線、コンタクトパッド、端子等、すなわち、相手側端子部材に、はんだ付等によって電気的に接続される。
【００３９】
そして、ハウジング１１は、側縁に沿って前後方向に延在する第１側壁部１１ｓ１及び第２側壁部１１ｓ２を有し、前記第１側壁部１１ｓ１の内側には、トレイ排出ロッド収容部１１ｇが形成されている。該トレイ排出ロッド収容部１１ｇには、カード用コネクタ１内に挿入されたカード用トレイ１６０を排出するためのトレイ排出機構におけるトレイ排出操作部材としてのプッシュロッド２２が前後方向にスライド可能に取付けられている。これにより、前記プッシュロッド２２は、第１側壁部１１ｓ１に沿って前後方向にスライドすることができる。なお、第１側壁部１１ｓ１及び第２側壁部１１ｓ２を統合的に説明する場合には、側壁部１１ｓとして説明する。
【００４０】
前記プッシュロッド２２は、概略直線的な棒状又は帯板状の部材であるが、その後端部には、屈曲した操作部２２ａが一体的に接続されている。該操作部２２ａは、カード用コネクタ１のユーザが後述される補助部材１８１を介して操作する際に、操作が容易となるような形状を備える。なお、前記操作部２２ａの後面には、前記補助部材１８１の先端が係合しやすいように、凹部２２ｃが形成されていることが望ましい。
【００４１】
また、前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６０の前端１６１ｆに当接して、カード用トレイ１６０に排出方向の力を付与する作用点部２１ａとして機能する。
【００４２】
前記シェル６１は、概略矩形の天板部６２と、該天板部６２の側縁から立設する側板部６３とを有する。該側板部６３には、複数の掛止開口６３ａが形成され、シェル６１をハウジング１１の上側に取付けると、該ハウジング１１の側壁部１１ｓの外側面に形成された掛止突起１３に前記掛止開口６３ａが掛止され、これにより、シェル６１がハウジング１１に固定される。また、前記側板部６３の下端の任意の箇所には、側板部６３から立設し、シェル６１の幅方向外側に向けて延出する基板接続部としてのソルダーテール部６４が形成されている。該ソルダーテール部６４は、前記電子機器における配線基板等の表面に形成された固定用パッド等に、はんだ付等によって固定される。なお、前記シェル６１におけるカード用トレイ１６０の挿入方向前方及び後方の端部は、前端部６１ｆ及び後端部６１ｒと称する。
【００４３】
さらに、カード用コネクタ１は、該カード用コネクタ１に挿入されたカード用トレイ１６０を検出する検出スイッチの端子を有する。具体的には、ハウジング１１の前端部１１ｆの近傍には、カード用トレイ１６０がカード用コネクタ１の所定位置（カード用トレイ１６０が保持されるとともに、カード用トレイ１６０にカード１０１が収容されている場合に各電極パッドが対応する端子５１の接触部５１ｃと確実に接触する位置）にまで挿入されたことを検出する検出スイッチとしてのトレイ検出スイッチの端子が配設されている。前記トレイ検出スイッチは、前端部１１ｆ及びその近傍に取付けられたカンチレバー状の端子としての第１接点部材５７と、底壁部１１ｂに形成されたスイッチ保持凹部１１ｊに保持された端子としての第２接点部材５８とによって形成される。前記スイッチ保持凹部１１ｊは、底壁部１１ｂを板厚方向に貫通する開口である。
【００４４】
前記第１接点部材５７は、前端部１１ｆに取付けられる取付部、該取付部に接続され、横方向に向けて延出するカンチレバー状の本体部５７ｂ、及び、該本体部５７ｂの先端、すなわち、自由端に接続された接触部５７ｃを有する。そして、前記本体部５７ｂは、カード用トレイ１６０がカード用コネクタ１に挿入されていない状態においては、奥壁部１１ａの側面に対して傾斜する。そして、カード用トレイ１６０が挿入されると、該カード用トレイ１６０の前枠部１６５が本体部５７ｂの自由端に当接する。一方、前記第２接点部材５８は、底壁部１１ｂに埋込まれた取付部と、該取付部に接続され、少なくとも先端、すなわち、自由端がスイッチ保持凹部１１ｊ内に露出する接触部５８ｂとを有する。
【００４５】
そして、カード用トレイ１６０が挿入されていない状態においては、図４（ｂ）に示されるように、第１接点部材５７の接触部５７ｃが第２接点部材５８の接触部５８ｂと接触していないので、第１接点部材５７と第２接点部材５８とは接触しておらず、つまり、端子同士が接触しておらず、トレイ検出スイッチは非導通状態、すなわち、オフ（ＯＦＦ）になっている。しかし、カード用トレイ１６０がカード用コネクタ１に挿入されて所定位置に到達すると、カード用トレイ１６０の前端１６１ｆによって第１接点部材５７の本体部５７ｂの自由端が前端部１１ｆの方向に向けて押されて変位し、第１接点部材５７の接触部５７ｃが第２接点部材５８の接触部５８ｂに接触する。これにより、第１接点部材５７と第２接点部材５８とが接触し、つまり、端子同士が接触し、トレイ検出スイッチは導通状態、すなわち、オン（ＯＮ）になるので、カード用トレイ１６０がカード用コネクタ１の所定位置に到達したことが検出される。
【００４６】
また、ハウジング１１は、底壁部１１ｂの左右両側から幅方向外側に向けて延出する第１フランジ部１１ｈ１及び第２フランジ部１１ｈ２を備える。前記第１フランジ部１１ｈ１及び第２フランジ部１１ｈ２は、底壁部１１ｂよりも薄肉の板部材であって、第１フランジ部１１ｈ１及び第２フランジ部１１ｈ２の上面は、底壁部１１ｂの上面よりも下方に位置する。なお、前記第１フランジ部１１ｈ１及び第２フランジ部１１ｈ２を統合的に説明する場合にはフランジ部１１ｈとして説明する。
【００４７】
本実施の形態において、ロック用ばね部９１は、金属板等から成るばね性を備える帯板状の部材であって、幅方向に延在する板ばね部材である。そして、前記ロック用ばね部９１は、全体として、カード用トレイ１６０のカード用コネクタ１の挿入及び排出方向に概略平行で、前記挿入開口９８ａの上方において、前記挿入開口枠部材９８の内側面に垂直な方向に延在する平板状の部材であって、前記挿入開口枠部材９８の内側面に沿って上下方向に弾性的に変位する。
【００４８】
前記ロック用ばね部９１の一端は、挿入開口枠部材９８の内側面であって、挿入開口９８ａの一端よりも幅方向外側に固定された部分としての基端部９２である。なお、該基端部９２は、前記カード用コネクタ１との相対的位置関係が変化しないように固定された部分である。そして、前記基端部９２は、直角に折曲げられ、下方に向いて延出する固定部９２ａを備える。該固定部９２ａは、挿入開口枠部材９８の内側面と平行な平板部材であって、前記挿入開口枠部材９８の内側面にはんだ付、接着、螺（ら）着等の固定手段によって固定される。
【００４９】
そして、前記基端部９２には、細長い長方形状、すなわち、帯板状の可動部としての本体部９３が一体的に接続されている。該本体部９３は、幅方向に延在するカンチレバー状の板ばね部材であって、前記基端部９２を中心として挿入開口枠部材９８の内側面に沿って上下方向に弾性的に揺動する。すなわち、前記基端部９２を中心として、カード用トレイ１６０のカード用コネクタ１の挿入及び排出方向に垂直な平面に沿って揺動する。また、前記本体部９３の自由端には、前方斜め下方に向けて延出する平板状の操作伝達部としての解除操作部９３ａが一体的に形成されている。さらに、該解除操作部９３ａよりも基端部９２寄りの位置であって解除操作部９３ａに近接した位置には、前方斜め下方に向けて延出する第１保持用凸部９４−１が一体的に形成されている。さらに、前記本体部９３の中心よりも基端部９２寄りの位置には、前方斜め下方に向けて延出する第２保持用凸部９４−２が一体的に形成されている。前記第１保持用凸部９４−１及び第２保持用凸部９４−２は、カード用トレイ１６０のロック部としての係合凸条部１６８と係合及び係合解除可能な可動ロック部として機能する。
【００５０】
前記第１保持用凸部９４−１は、下方を向いて膨出し、カード用トレイ１６０の係合凸条部１６８と係合する凸部としての第１保持用凸部９４ａ１を、その自由端近傍に備える。より詳細には、前記第１保持用凸部９４ａ１は、後方に位置する第１後方傾斜部９４ｃ１と、前方に位置する第１前方傾斜部９４ｂ１とを含み、カード用トレイ１６０のカード用コネクタ１内への挿入が完了した状態においては、前記第１前方傾斜部９４ｂ１が係合凸条部１６８の後方凹縁部１６８ｃと係合する。
【００５１】
具体的には、前記第１保持用凸部９４−１は、幅方向（図３（ａ）における横方向）に関して、挿入開口９８ａを通って挿入されるカード用トレイ１６０の第１側枠部１６４−１に対応する位置に存在する。そして、カード用トレイ１６０がカード用コネクタ１に挿入又は排出される際、第１保持用凸部９４ａ１は、第１側枠部１６４−１の上面に接触し、該第１側枠部１６４−１の上面を摺（しゅう）動する。
【００５２】
また、前記第２保持用凸部９４−２は、下方を向いて膨出し、カード用トレイ１６０の係合凸条部１６８と係合する凸部としての第２保持用凸部９４ａ２を、その自由端近傍に備える。より詳細には、前記第２保持用凸部９４ａ２は、後方に位置する第２後方傾斜部９４ｃ２と、前方に位置する第２前方傾斜部９４ｂ２とを含み、カード用トレイ１６０のカード用コネクタ１内への挿入が完了した状態においては、前記第２前方傾斜部９４ｂ２が係合凸条部１６８の後方縁部１６８ｂと係合する。
【００５３】
具体的には、前記第２保持用凸部９４−２は、幅方向に関して、挿入開口９８ａを通って挿入されるカード用トレイ１６０の第１側枠部１６４−１と第２側枠部１６４−２との間に対応する位置に存在する。そして、カード用トレイ１６０がカード用コネクタ１に挿入又は排出される際、第２保持用凸部９４ａ２は、カード用トレイ１６０に収容されたカード１０１の上面１１１ｂの上方に位置し、該上面１１１ｂには接触しない。
【００５４】
さらに、前記解除操作部９３ａは、幅方向に関して、挿通孔９８ｂを通って挿入される補助部材１８１に対応する位置に存在する。つまり、補助部材１８１の進路上に位置する。そして、カード用コネクタ１のプッシュロッド２２の操作部２２ａを補助部材１８１を介して押圧操作する際に、該補助部材１８１の先端が前方斜め下方に向けて延出する解除操作部９３ａに沿って前方に向けて移動すると、該解除操作部９３ａが上昇させられるので本体部９３の自由端が上昇し、その結果、第１保持用凸部９４−１及び第２保持用凸部９４−２が上昇し、カード用トレイ１６０の係合凸条部１６８との係合が解除される。
【００５５】
なお、ロック用ばね部９１に外力が付与されていない状態、すなわち、初期状態において、解除操作部９３ａ、第１保持用凸部９４−１及び第２保持用凸部９４−２の上下方向に関する位置関係は、図３（ｂ）及び（ｃ）に示されるようになっている。すなわち、解除操作部９３ａの下端が最も低く、次いで、第１保持用凸部９４ａ１の下端が低く、第２保持用凸部９４ａ２の下端が最も高くなっている。また、初期状態において、第１保持用凸部９４ａ１の下端は、挿入開口枠部材９８の挿入開口９８ａから挿入されるカード用トレイ１６０の前枠部１６５の上面及び第１側枠部１６４−１の上面よりも下方に位置するように設定されている。
【００５６】
次に、前記構成のカード用トレイ１６０をカード用コネクタ１に挿入し、その後カード用コネクタ１から排出する動作について説明する。
【００５７】
図６は本発明の第１の実施の形態におけるカード用トレイの先端がロック用ばね部に当接した状態を示す図、図７は本発明の第１の実施の形態におけるカード用コネクタにカード用トレイを挿入する際のロック用ばね部の動作を説明する図、図８は本発明の第１の実施の形態におけるカード用コネクタにカード用トレイの前半部分が挿入された状態を示す斜視図、図９は本発明の第１の実施の形態におけるカード用コネクタにカード用トレイの挿入が完了する直前の状態を示す斜視図、図１０は本発明の第１の実施の形態におけるカード用コネクタにカード用トレイの挿入が完了した状態を示す斜視図、図１１は本発明の第１の実施の形態におけるカード用コネクタからカード用トレイを排出する直前の状態を示す斜視図、図１２は本発明の第１の実施の形態におけるカード用コネクタからカード用トレイを排出する動作を示す第１の斜視図、図１３は本発明の第１の実施の形態におけるカード用コネクタからカード用トレイを排出する際のロック用ばね部の動作を説明する図、図１４は本発明の第１の実施の形態におけるカード用コネクタからカード用トレイを排出する動作を示す第２の斜視図である。なお、図６、７及び１３において、（ａ）は斜め前から観た図、（ｂ）は側面図である。
【００５８】
まず、カード用トレイ１６０を挿入する場合の動作について説明する。前述のように、カード用トレイ１６０は、カード１０１を収容していない状態であっても、カード用コネクタ１に挿入及び排出することができるが、ここでは、カード１０１を収容している場合についてのみ説明する。
【００５９】
まず、図１及び２に示されるように、ユーザは、手指等によって、カード１０１が収容されたカード用トレイ１６０をカード用コネクタ１の後方に位置する挿入開口枠部材９８の外側から該挿入開口枠部材９８の挿入開口９８ａに接近させる。ここで、カード用コネクタ１と挿入開口枠部材９８とは、相対的位置関係が変化しないように、かつ、カード用コネクタ１の挿入口１８と挿入開口枠部材９８の挿入開口９８ａとが整列するように、相互に固定されている。
【００６０】
また、カード用トレイ１６０は、その上面が上を向き、すなわち、シェル６１の天板部６２と向合い、前端１６１ｆがシェル６１の前端部６１ｆの方を向くような姿勢となっている。そのため、カード用トレイ１６０内に収容されているカード１０１は、電極パッドが配設されている下面が開放された状態で下を向き、端子５１が配設されているハウジング１１の底壁部１１ｂと向合い、前端１１１ｆがシェル６１の前端部６１ｆの方を向くような姿勢となっている。
【００６１】
そして、カード用コネクタ１の挿入口１８と挿入開口枠部材９８の挿入開口９８ａとが整列しているので、カード用トレイ１６０を前記挿入開口９８ａに挿入して更に進行させると、前記カード用トレイ１６０は、前記挿入口１８からハウジング１１とシェル６１との間に形成されるカード挿入空間内に挿入される。
【００６２】
この際、第１保持用凸部９４ａ１の下端が、挿入開口枠部材９８の挿入開口９８ａから挿入されるカード用トレイ１６０の前枠部１６５の上面よりも下方に位置するので、前記挿入開口９８ａに挿入されたカード用コネクタ１の前端１６１ｆに位置する前枠部１６５が第１保持用凸部９４ａ１の下端に当接し、これにより、第１保持用凸部９４−１が上昇し、ロック用ばね部９１は弾性的に変形し、図６に示されるような形状になる。すなわち、幅方向に延在するカンチレバー状の板ばね部材である本体部９３は、基端部９２を中心として挿入開口枠部材９８の内側面に沿って上方向に揺動する。この際、カード用トレイ１６０は、弾性的に変形させられる本体部９３が発揮するばね力を主因とする抵抗を受けるが、該抵抗がユーザの手指等が発揮する押圧力よりも小さいので、前記抵抗に抗して前方に移動する。
【００６３】
なお、前記第１保持用凸部９４ａ１の後方に第１後方傾斜部９４ｃ１が位置するので、前端１６１ｆが当接して前進する際に、第１保持用凸部９４−１はスムーズに上昇する。図６に示される状態において、第２保持用凸部９４−２は、その下端の第２保持用凸部９４ａ２も含めて、前記前枠部１６５の上面よりも上方に位置し、前記前枠部１６５の上面に当接してない。また、解除操作部９３ａは、カード用トレイ１６０の幅方向外側に位置するので、カード用トレイ１６０の枠部１６１のいかなる部分にも当接していない。
【００６４】
そして、カード用トレイ１６０を更に進行させると、図７及び８に示されるように、カード用トレイ１６０の前半部分が、挿入口１８からハウジング１１とシェル６１との間に形成されるカード挿入空間内に挿入される。なお、カード用トレイ１６０が挿入方向に進行する際には、図７及び８に示されるように、第１保持用凸部９４−１の第１保持用凸部９４ａ１が第１側枠部１６４−１の上面に接触して該第１側枠部１６４−１の上面を摺動するので、ロック用ばね部９１は図７及び８に示されるような姿勢を維持する。つまり、第２保持用凸部９４−２の下端の第２保持用凸部９４ａ２は、前枠部１６５の上面及びカード１０１の上面１１１ｂよりも上方に位置し、前枠部１６５にもカード１０１にも接触しない。したがって、該カード１０１は、第２保持用凸部９４−２との接触によって損傷を受けることがない。なお、解除操作部９３ａは、前述のように、カード用トレイ１６０の枠部１６１のいかなる部分にも当接しない。したがって、カード１０１の有無に係わらず、前枠部１６５や後枠部１６２に引掛ることがない。
【００６５】
続いて、カード用トレイ１６０の後枠部１６２に形成された係合凸条部１６８が第１保持用凸部９４−１及び第２保持用凸部９４−２に当接し、これにより、第１保持用凸部９４−１及び第２保持用凸部９４−２は更に上昇し、図９に示されるように、第１保持用凸部９４ａ１及び第２保持用凸部９４ａ２が後枠部１６２の上面に当接した状態となる。この際、カード用トレイ１６０は、弾性的に変形させられる本体部９３が発揮するばね力を主因とする抵抗を受けるが、該抵抗がユーザの手指等が発揮する押圧力よりも小さいので、前記抵抗に抗して前方に移動する。なお、前記第１保持用凸部９４ａ１及び第２保持用凸部９４ａ２の後方に第１後方傾斜部９４ｃ１及び第２後方傾斜部９４ｃ２が位置するとともに、係合凸条部１６８の前方に前方傾斜部１６８ａが位置するので、第１保持用凸部９４−１及び第２保持用凸部９４−２はスムーズに上昇する。
【００６６】
続いて、ユーザがカード用トレイ１６０をプッシュして更に押込むと、図１０に示されるように、カード用トレイ１６０がカード用コネクタ１の所定位置に到達する。このとき、前端１６１ｆに押され、第１接点部材５７の自由端が前端部１１ｆの方向に向けて変位し、第１接点部材５７が第２接点部材５８に接触する。これにより、第１接点部材５７と第２接点部材５８とが接触し、カード検出スイッチがオンになるので、カード用トレイ１６０がカード用コネクタ１の所定位置に到達したことが検出される。
【００６７】
また、カード用トレイ１６０がカード用コネクタ１の所定位置にまで前進することにより、イジェクトレバー２１の作用点部２１ａが、前端１６１ｆに押されて前端部１１ｆの方向に向けて更に変位するので、イジェクトレバー２１の力点部２１ｂは、後端部１１ｒの方向に向けて更に変位し、プッシュロッド２２は、後方に最も突出した位置、すなわち、挿入開口枠部材９８に最も近付いた位置にまでスライドした状態となる。なお、図１０に示されるように、プッシュロッド２２が挿入開口枠部材９８に最も近付いても、操作部２２ａは、解除操作部９３ａよりも前方、すなわち、前端部１１ｆ寄りに位置する。
【００６８】
そして、カード用トレイ１６０がカード用コネクタ１の所定位置に到達すると、イジェクトレバー２１の作用点部２１ａは、ハウジング１１の奥壁部１１ａと干渉するので、それ以上前端部１１ｆの方向に向けて変位不能となる。したがって、カード用トレイ１６０も、それ以上前進不能となる。
【００６９】
さらに、該カード用トレイ１６０がカード用コネクタ１の所定位置に到達すると、第１保持用凸部９４−１の第１保持用凸部９４ａ１及び第２保持用凸部９４−２の第２保持用凸部９４ａ２が、それぞれ、係合凸条部１６８の後方凹縁部１６８ｃ及び後方縁部１６８ｂと係合する。より詳細には、第１前方傾斜部９４ｂ１及び第２前方傾斜部９４ｂ２が、それぞれ、後方凹縁部１６８ｃ及び後方縁部１６８ｂに当接する。前記第１前方傾斜部９４ｂ１及び第２前方傾斜部９４ｂ２は、前方から後方に進むにつれて下方へ向うように傾斜している。これにより、前記第１前方傾斜部９４ｂ１及び第２前方傾斜部９４ｂ２が後方凹縁部１６８ｃ及び後方縁部１６８ｂに当接した状態では、元の形状に復帰しようとする本体部９３が発揮するばね力により、係合凸条部１６８は、第１保持用凸部９４−１及び第２保持用凸部９４−２から、前方に向けた押圧力を受けることとなる。したがって、カード用トレイ１６０は、所定位置において安定的に保持されてロックされ、該所定位置から後方に向けて変位することが防止される。
【００７０】
そして、カード用トレイ１６０内に収容されているカード１０１は、カード用トレイ１６０とともに、所定位置に保持されることによって、カード用コネクタ１が実装された電子機器の演算手段等との間でデータの送受信を行うことができる状態となる。なお、カード１０１が所定位置に保持されているとき、カード用コネクタ１の端子５１は、その接触部５１ｃが、カード１０１の電極パッドの各々に接触して導通している。
【００７１】
なお、カード用トレイ１６０がカード用コネクタ１の所定位置に到達する際に、後板部１６３が挿入開口枠部材９８と当接し、カード用トレイ１６０をそれ以上前進不能とするストッパとして機能するように構成することが望ましい。
【００７２】
次に、カード用トレイ１６０をカード用コネクタ１から排出させる動作について説明する。
【００７３】
本実施の形態においては、ユーザは、プッシュロッド２２の操作部２２ａを押圧操作するために、図１１に示されるような補助部材１８１を使用するものとする。該補助部材１８１は、ピン、ロッド等の細長い棒状の部材であればいかなる部材であってもよいが、ここでは、金属から成る円柱状の直線的な棒状部材であるものとして説明する。
【００７４】
まず、ユーザは、図１１に示されるように、手指等によって補助部材１８１を操作し、該補助部材１８１を、カード用トレイ１６０の後方から、後板部１６３に形成された挿通孔１６３ａ及び挿入開口枠部材９８に形成された挿通孔９８ｂに挿通させる。
【００７５】
続いて、ユーザが補助部材１８１を前方に向けて押込むと、図１１に示されるように、前記挿通孔９８ｂとプッシュロッド２２の操作部２２ａとを結ぶ直線上、すなわち、補助部材１８１の進路上に、解除操作部９３ａが張出しているので、前記補助部材１８１は、解除操作部９３ａに当接して、幅方向に延在するカンチレバー状の板ばね部材である本体部９３の自由端を上方に向けて変位させる。この際、補助部材１８１は、弾性的に変形させられる本体部９３が発揮するばね力を主因とする抵抗を受けるが、該抵抗がユーザの手指等が発揮する押圧力よりも小さいので、前記抵抗に抗して前方に移動する。特に、解除操作部９３ａが基端部９２から最も離れた本体部９３の自由端に位置するので、カード用トレイ１６０を挿入する場合に第１保持用凸部９４−１及び第２保持用凸部９４−２を上昇させる際と比較して、本体部９３を変形させるために必要な力が少なくて済む。また、解除操作部９３ａが前方斜め下方に向けて延出するように傾斜しているので、補助部材１８１が解除操作部９３ａに当接した状態で前方に移動すると、解除操作部９３ａが形成されている本体部９３の自由端は、上方に向けてスムーズに変位させられる。
【００７６】
そして、図１２及び１３に示されるように、補助部材１８１によって解除操作部９３ａが形成されているロック用ばね部９１の本体部９３の自由端が上方に向けて変位させられると、本体部９３に形成されている第１保持用凸部９４−１及び第２保持用凸部９４−２も上方に向けて変位させられる。これにより、第１保持用凸部９４−１の第１保持用凸部９４ａ１及び第２保持用凸部９４−２の第２保持用凸部９４ａ２と、係合凸条部１６８の後方凹縁部１６８ｃ及び後方縁部１６８ｂとの係合が解除され、第１保持用凸部９４−１の第１保持用凸部９４ａ１及び第２保持用凸部９４−２の第２保持用凸部９４ａ２が、係合凸条部１６８の上面よりも上方にまで変位するので、カード用トレイ１６０は、所定位置から後方に向けて変位することが可能となる。
【００７７】
なお、解除操作部９３ａがプッシュロッド２２の操作部２２ａよりも後方に位置するので、図１２及び１３に示されるように、補助部材１８１の先端が操作部２２ａに当接して該操作部２２ａを前方に向けて押圧を開始する時点では、既に、解除操作部９３ａが形成されている本体部９３の自由端は、補助部材１８１によって上方向に向けて変位させられ、第１保持用凸部９４−１の第１保持用凸部９４ａ１及び第２保持用凸部９４−２の第２保持用凸部９４ａ２は、係合凸条部１６８の上面よりも上方に位置している。
【００７８】
また、補助部材１８１が当接して変位するロック用ばね部９１が挿入開口枠部材９８に配設されているので、可動部材であるロック用ばね部９１が損傷を受けたり、破損したりしたような場合、挿入開口枠部材９８を交換又は修理するだけでよいので、保守管理コストを低く抑えることができる。仮に、ロック用ばね部９１がカード用コネクタ１に配設されていると仮定すると、ロック用ばね部９１が損傷を受けたり、破損したりしたような場合、カード用コネクタ１を電子機器から取外して交換又は修理する必要が生じるので、作業に手間と時間とがかかり、保守管理コストが高くなってしまう。
【００７９】
そして、ユーザが補助部材１８１をプッシュして更に押込むと、プッシュロッド２２はその最も前進可能な位置に到達し、イジェクトレバー２１の操作部２２ａは、図１４に示されるような位置にまで変位する。これにより、イジェクトレバー２１の作用点部２１ａに前端１６１ｆが押されて、カード用トレイ１６０は、所定位置から後方に向けて、図１４に示されるような位置にまで変位する。
【００８０】
このとき、第１保持用凸部９４−１の第１保持用凸部９４ａ１及び第２保持用凸部９４−２の第２保持用凸部９４ａ２が、係合凸条部１６８の上面よりも上方に位置しているので、カード用トレイ１６０は、スムーズに所定位置から後方に向けて変位することができる。したがって、ユーザは、カード用トレイ１６０を排出させるために、強い力で補助部材１８１を押込む必要がない。
【００８１】
これにより、カード用トレイ１６０の後板部１６３は、挿入開口枠部材９８から十分に大きく突出した状態となる。したがって、ユーザは、手指等によって後板部１６３を把持することにより、カード用トレイ１６０をカード用コネクタ１から引出して排出させることができる。
【００８２】
このように、本実施の形態において、カード用コネクタセットは、電極パッドを備えるカード１０１を保持可能なカード用トレイ１６０を挿入可能なカード用コネクタ１と、カード用コネクタ１に挿入されたカード用トレイ１６０をロックするロック用ばね部９１とを備える。そして、カード用トレイ１６０は、カード１０１の側面１１２と対向する枠部１６１と、枠部１６１に形成された係合凸条部１６８とを含み、ロック用ばね部９１は、カード用コネクタ１との相対的位置関係が変化しないように固定された基端部９２と、基端部９２に接続された本体部９３とを含み、カード用コネクタ１から独立した別個の部材であり、本体部９３は、係合凸条部１６８と係合及び係合解除可能な第１保持用凸部９４−１及び第２保持用凸部９４−２を含み、第１保持用凸部９４−１及び第２保持用凸部９４−２は、カード用トレイ１６０をカード用コネクタ１から排出させる排出機構を作動させる補助部材１８１によって、係合凸条部１６８との係合が解除させられる。
【００８３】
これにより、カード用トレイ１６０は、カード用コネクタ１に確実に保持されるとともに、カード用コネクタ１から容易に排出することができる。したがって、高い信頼性を得ることができる。また、ロック用ばね部９１をカード用コネクタ１と別個の任意の部材に取付けることができ、設計の自由度が向上する。
【００８４】
また、補助部材１８１は、第１保持用凸部９４−１及び第２保持用凸部９４−２を作動させて係合凸条部１６８との係合を解除させた後に、排出機構を作動させる。したがって、排出機構が作動する時点では、カード用トレイ１６０のロックが解除されているので、カード用トレイ１６０は、スムーズに所定位置から後方に排出される。
【００８５】
さらに、排出機構は、カード用トレイ１６０の挿入及び排出方向にスライド可能なプッシュロッド２２を含み、補助部材１８１は、挿入及び排出方向にスライド可能な棒状の部材であって、プッシュロッド２２を挿入方向に移動させることによって排出機構を作動させ、第１保持用凸部９４−１及び第２保持用凸部９４−２は、補助部材１８１の進路上に位置する解除操作部９３ａに補助部材１８１が当接することによって、係合凸条部１６８との係合が解除させられる。したがって、カード用トレイ１６０を排出させるための操作を行うだけで、ロックが解除されるので、カード用トレイ１６０を容易に排出させることができる。
【００８６】
さらに、枠部１６１の後方には後板部１６３が接続され、補助部材１８１は、後板部１６３に形成された挿通孔１６３ａに挿通されて挿入方向に移動させられる。これにより、補助部材１８１は、挿通孔１６３ａにガイドされることとなるので、確実に進路上を通過して解除操作部９３ａに当接する。
【００８７】
さらに、ロック用ばね部９１は、カード用コネクタ１の後方にカード用コネクタ１から離れて位置し、本体部９３は、基端部９２を中心として、カード用トレイ１６０の挿入及び排出方向に垂直な平面に沿って揺動可能な板ばねであり、係合凸条部１６８は、枠部１６１の上面に形成された幅方向に延在する凸条部であり、第１保持用凸部９４−１及び第２保持用凸部９４−２は、下方を向いて膨出し、係合凸条部１６８と係合可能な第１保持用凸部９４ａ１及び第２保持用凸部９４ａ２を含む。これにより、ロック用ばね部９１を、例えば、カード用コネクタ１が内部に収容された電子機器の筐体の外壁等に固定することが可能となり、設計の自由度が向上する。
【００８８】
さらに、解除操作部９３ａは、本体部９３の自由端に位置し、第１保持用凸部９４−１及び第２保持用凸部９４−２は、本体部９３の自由端と基端部９２との間に位置する。したがって、補助部材１８１を介して、小さな力を付与することによって解除操作部９３ａを変位させ、第１保持用凸部９４−１及び第２保持用凸部９４−２と係合凸条部１６８との係合を解除させることができる。
【００８９】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００９０】
図１５は本発明の第２の実施の形態におけるカード用コネクタにカード用トレイを挿入する直前の状態のカード保持部材取扱セットを示す第１の斜視図、図１６は本発明の第２の実施の形態におけるカード用コネクタにカード用トレイを挿入する直前の状態のカード保持部材取扱セットを示す第２の斜視図である。
【００９１】
前記第１の実施の形態においては、ロック用ばね部９１は、挿入開口枠部材９８と別個の部材であって、その固定部９２ａが固定手段によって挿入開口枠部材９８の内側面に固定されることにより、該挿入開口枠部材９８に取付けられるようになっているのに対し、本実施の形態においては、ロック用ばね部９１は挿入開口枠部材９８と一体的に形成された部材である点で、本実施の形態は、前記第１の実施の形態と相違する。
【００９２】
具体的には、図１４及び１５に示されるように、ロック用ばね部９１の基端部９２におけるカード用コネクタ１と反対側の縁部が、略直角に屈曲した連結部９２ｂとして、挿入開口枠部材９８に一体的に連結されている。これにより、前記基端部９２は、挿入開口枠部材９８に対して固定的、かつ、一体的に連結される。なお、本実施の形態において、前記挿入開口枠部材９８は、ロック用ばね部９１と同一の材料、すなわち、ばね性を備える金属板等から成る。
【００９３】
なお、本実施の形態におけるロック用ばね部９１及び挿入開口枠部材９８のその他の点の構成及び動作については、前記第１の実施の形態と同様であるので、その説明を省略する。また、本実施の形態におけるカード１０１、カード用トレイ１６０及びカード用コネクタ１の構成及び動作についても、前記第１の実施の形態と同様であるので、その説明を省略する。さらに、本実施の形態におけるカード用トレイ１６０をカード用コネクタ１に挿入し、その後カード用コネクタ１から排出する動作についても、前記第１の実施の形態と同様であるので、その説明を省略する。さらに、効果の点についても、前記第１の実施の形態と同様であるので、その説明を省略する。
【００９４】
なお、本発明は前記実施の形態に限定されるものではなく、本発明の趣旨に基づいて種々変形させることが可能であり、それらを本発明の範囲から排除するものではない。
【産業上の利用可能性】
【００９５】
本発明は、カード用コネクタセットに適用することができる。
【符号の説明】
【００９６】
１    カード用コネクタ
１１、８１１    ハウジング
１１ａ    奥壁部
１１ｂ    底壁部
１１ｃ    端子保持凹部
１１ｄ    ソルダーテール用開口
１１ｆ、６１ｆ    前端部
１１ｇ    トレイ排出ロッド収容部
１１ｈ１    第１フランジ部
１１ｈ２    第２フランジ部
１１ｊ    スイッチ保持凹部
１１ｒ、６１ｒ    後端部
１１ｓ１    第１側壁部
１１ｓ２    第２側壁部
１３    掛止突起
１８、８１８    挿入口
２１    イジェクトレバー
２１ａ    作用点部
２１ｂ    力点部
２１ｃ    支点部
２２    プッシュロッド
２２ａ    操作部
２２ｂ    係合部
２２ｃ    凹部
５１    端子
５１ａ    基部
５１ｂ    接触腕部
５１ｃ、５７ｃ、５８ｂ    接触部
５１ｄ、６４    ソルダーテール部
５７    第１接点部材
５７ｂ、９３    本体部
５８    第２接点部材
６１、８６１    シェル
６２    天板部
６３    側板部
６３ａ    掛止開口
９１    ロック用ばね部
９２    基端部
９２ａ    固定部
９２ｂ    連結部
９３ａ    解除操作部
９４−１、９４ａ１    第１保持用凸部
９４−２、９４ａ２    第２保持用凸部
９４ｂ１    第１前方傾斜部
９４ｂ２    第２前方傾斜部
９４ｃ１    第１後方傾斜部
９４ｃ２    第２後方傾斜部
９８    挿入開口枠部材
９８ａ    挿入開口
９８ｂ、１６３ａ    挿通孔
１０１、９０１    カード
１１１ｂ    上面
１１１ｃ、９６８    切欠部
１１１ｆ、１６１ｆ    前端
１１１ｒ    後端
１１１ｓ    側端
１１２    側面
１６０、９６１    カード用トレイ
１６１    枠部
１６２    後枠部
１６２ｃ    傾斜部
１６３    後板部
１６４−１    第１側枠部
１６４−２    第２側枠部
１６５    前枠部
１６６    空間部
１６７    庇部
１６８    係合凸条部
１６８ａ    前方傾斜部
１６８ｂ    後方縁部
１６８ｃ    後方凹縁部
１８１    補助部材
８７５    ロック部
９６３    フランジ部
９６３ａ    貫通孔
【図１】
2016042420.tif 000003
【図２】
2016042420.tif 000004
【図３】
2016042420.tif 000005
【図４】
2016042420.tif 000006
【図５】
2016042420.tif 000007
【図６】
2016042420.tif 000008
【図７】
2016042420.tif 000009
【図８】
2016042420.tif 000010
【図９】
2016042420.tif 000011
【図１０】
2016042420.tif 000012
【図１１】
2016042420.tif 000013
【図１２】
2016042420.tif 000014
【図１３】
2016042420.tif 000015
【図１４】
2016042420.tif 000016
【図１５】
2016042420.tif 000017
【図１６】
2016042420.tif 000018
【図１７】
2016042420.tif 000019